(57)【要約】【課題】  床置きの状態で平面型ディスプレイの前後及び左右の角度を調整可能とする。【解決手段】  基部２上に環状歯車８が固定されている。環状歯車８と同心に回転部１４が回転自在に配置されている。この回転部１４には、回転部を回転させる駆動部１６が設けられている。回転部１４には回転軸１８が配置されている。この回転軸１８の外方端には、ローラ２０が設けられている。回転軸を回転させる駆動部２４も回転部１４に設けられている。回転部１４の外方にローラ１８に接触する円弧状部２２が設けられている。円弧状部２２は、ローラ１８の回転に従って摺動する。この円弧状部２２に連ねて旋回部２８が設けられている。この旋回部２８は、案内部材３６を有している。この旋回部２８は、平板型ディスプレイ３２の背面に結合される。回転部１４に固定部３４が設けられている。この固定部３４は、回転部１４の上方に伸び、案内部材３６が挿通される円弧状の案内溝３８を有している。円孔状部２２と案内溝３８とは、平板型ディスプレイ３２のチルト回転中心を中心とする同心の円弧を持っている。【選択図】        図１
2005110098.tif 000002
【特許請求の範囲】
【請求項１】
平板状の基部と、
この基部条に固定され、内周面に沿って歯を有する環状歯車と、
この環状歯車と同心に前記基部の上方に回転自在に配置された回転部と、
この回転部に設けられた第１のモータと、
前記回転部に設けられ、第１のモータの回転力を前記環状歯車の歯に伝達して、前記回転部を回転させる回転伝達部と、
前記基部に平行に前記回転部に配置され、少なくとも一方の端部が前記回転部の外方に突出し、その外方端に回転体を有する回転軸と、
前記回転部に設けられ、前記回転軸をその中心軸の回りに回転させる第２のモータと、
前記回転体に接触し、前記回転体の回転に従って、摺動する円弧状部と、
この円弧状部に連なり、前記回転部の上方まで伸び、側方に突出した案内部材を有し、かつ平板型ディスプレイの背面に結合される旋回部と、
前記回転部に設けられ、前記回転部の上方に伸び、前記案内部材が挿通される円弧状の案内溝を有する固定部とを、
有し、前記円孔状部と前記円孔状の案内溝とは、前記平板型ディスプレイのチルト回転中心を中心とする同心の円弧を持つ平板型ディスプレイの画面角度調整装置。
【請求項２】
請求項１記載の平板型ディスプレイ用画面角度調整装置において、前記基部は、前記回転部を包囲する蓋状部を有する平板型ディスプレイの用画面角度調整装置。
【発明の詳細な説明】
【技術分野】
【０００１】
本発明は、例えば液晶テレビ、ＰＤＰのような平板型ディスプレイの画面角度を調整する装置に関する。
【背景技術】
【０００２】
平板型ディスプレイは薄型であるので、壁面に額縁のように取り付けることが可能である。この場合、取付後に、画面角度を前後方向（チルト方向）及び左右方向（アジマス方向）に任意に調整することが望ましい。このような調整が行える装置として、例えば特許文献１に開示されているような技術がある。
【０００３】
この技術では、平板型ディスプレイの背面中央をユニバーサルジョイントによって、前後左右に揺動可能に壁面に支持し、この背面中央よりも左右いずれかの方向にずれた位置と、背面中央よりも上下方向いずれかにずれた位置とに、それぞれ平板型ディスプレイの背面を押圧する押圧具をそれぞれ設けたものである。この押圧具は、モータによって駆動される。
【０００４】
【特許文献１】特開２００２−７７７７５号公報
【発明の開示】
【発明が解決しようとする課題】
【０００５】
上記技術は、平板型ディスプレイを壁面に取り付けることを前提としたものである。しかし、近年、平板型ディスプレイを床上に配置することも提案されている。この床置きの場合、上記の技術を適用することは不可能である。
【０００６】
本発明は、床置きされる平板型ディスプレイにおいても、前後及び左右方向に画面の角度を調整することができる角度調整装置を提供することを目的とする。
【課題を解決するための手段】
【０００７】
本発明の一態様の角度調整装置は、平板状の基部を有している。この基部は、矩形でも円形でも種々の形状とすることができる。この基部上に環状歯車が固定されている。この環状歯車は、その内周面に沿って複数の歯を有している。この環状歯車と同心に前記基部の上方に回転部が回転自在に配置されている。この回転部には、第１のモータが設けられている。さらに、この回転部には、回転伝達部も設けられている。この回転伝達部は、第１のモータの回転力を環状歯車の歯に伝達して、前記回転部を回転させるものである。この回転伝達部としては、例えば第１のモータと環状歯車とに噛み合う歯車を使用することができる。この歯車は、少なくとも１つ設ければよいが、環状歯車に伝達される回転力を適宜に調整する場合、歯数の異なる複数の歯車を使用することもある。前記基部に平行に前記回転部に回転軸が配置されている。この回転軸は、その中心軸の回りに回転自在に配置され、少なくとも一方の端部が前記回転部の外方に突出している。両端が回転部の外方に突出することも可能である。回転軸の外方端には、回転体が設けられている。この回転体は、回転軸の両外方端にそれぞれ設けることもできる。前記回転部には、前記回転軸をその中心軸の回りに回転させる第２のモータも設けられている。第２のモータと回転軸との間に回転伝達部を設けることもできる。回転部の外方において、前記回転体に接触する円弧状部が設けられている。この円弧状部も、各回転体ごとに設けることもできる。この円弧状部は、前記回転体の回転に従って摺動する。この円弧状部に連ねて旋回部が設けられている。この旋回部は、前記回転部の上方まで伸び、側方に突出した案内部材を有している。この旋回部も、各円弧状部に対応して２つ設け、それらを一体にすることもできる。この旋回部は、平板型ディスプレイの背面に結合される。前記回転部に固定部が設けられている。この固定部は、前記回転部の上方に伸び、前記案内部材が挿通される円弧状の案内溝を有している。旋回部が２つの場合には、この固定部も２つ設け、それらを一体に形成することもできる。旋回部と固定部とは、ほぼ接するように配置することが望ましい。前記円孔状部と前記円孔状の案内溝とは、前記平板型ディスプレイのチルト回転中心を中心とする同心の円弧を持っている。
【０００８】
このように構成した角度調整装置では、旋回部にディスプレイ装置が固定されており、この状態で第２のモータを回転させると、回転軸が回転し、回転体が、ディスプレイのチルト回転中心を中心とする円弧を持つ円弧状部を摺動させる。このとき、ディスプレイのチルト回転中心を中心とする円弧状の案内溝に沿って案内が案内されているので、ディスプレイは、チルト回転中心を中心として回転する。また、第１のモータを回転させると、その回転力によって回転部が回転し、回転軸、円弧状部を介して回転部に結合されているディスプレイ装置も回転する。
【０００９】
従って、この角度調整装置を床面に配置すると、ディスプレイ装置の画面を前後及び左右方向の任意の角度に向けることができる。しかも、この装置では、前記円孔状部と前記円孔状の案内溝とは、前記平板型ディスプレイのチルト回転中心を中心とする同心の円弧を持っているので、前後方向にディスプレイ装置の角度を調整するために、チルト回転中心に実際に回転軸を設ける必要が無く、ディスプレイ装置は、それの背面において旋回部に結合するだけでよい。従って、上述した従来のもののように、ディスプレイ装置自体に角度調整するための部品を設ける必要がない。
【００１０】
前記基部は、前記回転部を包囲する蓋状部を有するものとできる。このように構成すると、蓋状部よりも上方に突出しているのは、旋回部と固定部のみであるので、角度調整装置の美観が向上する。
【発明の効果】
【００１１】
以上のように、本発明によれば、床置き状態の平板型ディスプレイ装置であっても、左右及び前後方向に画面の角度を調整することができる。
【発明を実施するための最良の形態】
【００１２】
本発明の１実施形態の角度調整装置は、図１に示すように、第１基部２を有している。第１基部２は、例えば円板状に形成され、床面或いはテレビ台上に配置される。第１基部２の上面には、これよりも小型の第２基部４が設けられている。第２基部４も例えば円板状で、第１基部２と同心に配置されている。
【００１３】
第２基部４の上面の外周縁部全域には、上面側に開口したＵ字状の溝６が形成されている。この溝６は、後述する円弧状部の支持台である。この溝６の内側に環状歯車８が設けられている。この環状歯車８は、環状体の内周面に歯を設けたものである。この環状歯車８にも、上方に開口した溝１０が形成されている。この溝１０内には、所定角度ごとにローラ１２が配置されている。
【００１４】
これらローラ１２によって回転部１４が支持されている。回転部１４は、環状歯車８の内側に、これと同心に配置された概略円板状である。この回転部１４上には、図２に点線で示すように、駆動部１６が設けられている。駆動部１６は、図示していないが、モータと、このモータによって回転させられる回転伝達部とからなる。回転伝達部は、例えば歯数の異なる複数の歯車からなり、そのうちの出力側の歯車が、環状歯車８の歯と噛み合っている。従って、モータの回転に従って、回転部１４は、回転する。
【００１５】
この回転部１４には、回転軸１８が回転自在に取り付けられており、その両端は、それぞれ回転部１４から外方に突出している。この回転軸１８の両端には、回転体、例えばローラ２０がそれぞれ取り付けられている。これらローラ２０は、２つの円弧状部２２の内面にそれぞれ摩擦接触している。これら円弧状部２２は、上述したＵ字状の溝６に接している。この円孔状部２２の形状については後述する。
【００１６】
回転部１４には、回転軸１８を駆動するための駆動部２４が設けられている。駆動部２４は、モータと回転伝達機構とからなる。この回転伝達機構も、モータの回転力を伝達するように歯数の異なる複数の歯車からなる。この回転伝達機構は、回転軸１８に結合されており、モータが回転したとき、回転軸１８が回転する。これに伴いローラ２０が回転し、円弧状部２２が摺動する。
【００１７】
２つの円弧状部２２には、翼体２６がそれぞれ設けられており、これらは、基部２の中央側に向かって伸び、中途から上方に立ち上がっている。これら立ち上がり部が、旋回部２８であり、これら旋回部２８は、それらの上端で一体に結合されている。なお、これら旋回部２８の間に、回転部１４の上壁１４ａが位置している。
【００１８】
この旋回部２８の前面間には、図３に示すように、取付台３０が取り付けられ、この取付台３０に平板型ディスプレイ、例えば液晶表示装置３２が取り付けられている。
【００１９】
回転部１４の上壁１４ａには、固定部３４が取り付けられている。固定部３４は、旋回部２８、２８を包囲する枠状に形成され、底部に旋回部２８、２８間に侵入して上壁１４ａに固定されている舌片部３４ａを有している。固定部３４の側壁３４ｂ、３４ｂは、旋回部２８、２８にほぼ接触するように設けられ、これら旋回部２８、２８に設けた案内部材、例えばローラ３６が、固定部３４の側壁３４ｂ、３４ｂに設けた案内溝３８、３８に係合している。
【００２０】
この案内溝３８、３８と上述した円弧状部２２、２２とは、図３に示すように、液晶表示装置３２の仮想のチルト中心軸４０、即ち、液晶表示装置３２が前後方向に回転して傾斜する際に、その回転の中心となる位置を中心とする同心の複数の円周上の一部であるように形成されている。案内溝３８、３８の方が、円弧状部２２、２２よりも、その半径が小さい。しかも、これら案内溝３８、３８、円弧状部２２、２２は、仮想のチルト中心軸４０よりも下方位置にある。
【００２１】
なお、基部２の周囲は、回転部１４の周囲を包囲するように、蓋状部４２によって包囲されている。従って、蓋状部４２よりも上方に突出しているのは、固定部３４と旋回部２８、取付部３０であって、回転部１４及びそれに設けられている駆動部１６、２４等は、蓋状部４２内にある。
【００２２】
このように構成した角度調整装置では、例えば液晶ディスプレイ３２の左右方向の角度を変更する場合には、駆動部１６のモータを回転させることによって、回転部１４が回転し、回転部１４上にある固定部３４にローラ３６を介して結合されている旋回部２８に取り付けられている液晶ディスプレイ３２も回転する。この回転の際に、円弧状部２２も、Ｕ字状の溝６上を移動している。
【００２３】
液晶ディスプレイ３２が左右方向に所定の角度になった状態において、駆動部２４を駆動すると、ローラ２０が回転する。この回転によって円弧状部２２が仮想のチルト中心４０を中心として回転し、旋回部２８が回転するが、このとき、ローラ３６が、仮想のチルト中心４０を中心とする案内溝３８に沿って移動する。これによって、旋回部２８が、図３に点線で示すように移動し、液晶表示装置３２が仮想のチルト中心４０の回りに回転し、液晶表示装置３２の前後方向の角度が変化する。
【００２４】
このように、液晶表示装置３２の前後及び左右方向の角度を任意に変更することができる。例えば液晶表示装置３２の前後方向の角度を変更する場合、液晶表示装置３２におけるチルト中心位置に回転軸を設け、この回転軸を支持する固定部を回転部１４の上壁１４ａ上に設け、液晶表示装置３２の所定の位置にある作用点にレバーを設け、このレバーを進退させる駆動部を回転部１４の上壁１４ａに設ける必要がある。しかし、このように構成した場合、固定部の高さ寸法が高くなり、また、回転部１４上にレバーや駆動部を設ける必要上、回転部が大型になる。これに対し、この角度調整装置では、液晶表示装置３２に実際に回転軸を設けずに、この回転軸と同心に、この回転軸よりも下方に設けた案内溝と円孔状部とを用いて回転させているので、この角度調整装置の高さ寸法が小さくなる。しかも、チルト調整をするための機器は、旋回部と固定部とを除いて、全て回転部上に設けられ、この回転部も周囲が蓋状部によって覆われているので、回転部の上面を大型にする必要がない上に、外観も良好である。
【００２５】
上記の実施の形態では、ローラ２０と円弧状部２２とは摩擦結合させたが、例えばローラ２０に代えて歯車を使用し、この歯車と噛み合う歯を円弧状部に設けてもよい。上記の実施の形態では、旋回部２８を２個設け、これに対応して固定部も枠状としたが、例えば旋回部２８を１個だけ設ける場合には、固定部も１個だけ設けても良い。この場合、ローラ２０、円弧状部２２も１個だけでよい。
【図面の簡単な説明】
【００２６】
【図１】本発明の１実施形態の角度調整装置の縦断正面図である。
【図２】図１の角度調整装置の縦断平面図である。
【図３】図１の角度調整装置の側面図である。
【図４】図１の角度調整装置の円弧状部と案内溝との関係を示す図である。
【符号の説明】
【００２７】
２  基部
１４  回転部
２８  旋回部
３４  固定部
【図１】
2005110098.tif 000003
【図２】
2005110098.tif 000004
【図３】
2005110098.tif 000005
【図４】
2005110098.tif 000006